【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
少なくとも1つの電力受信機に電力をワイヤレスで伝達するように構成された電力送信機であって、
励起周波数を有する、時間変動する第1の磁界を生成するための手段と、
前記時間変動する第1の磁界に応答して時間変動する第2の磁界を生成するための複数の手段であって、前記複数の各手段は前記励起周波数にほぼ等しい機械的共振周波数を有する、複数の手段と
を含む、電力送信機。
【請求項２】
前記時間変動する第1の磁場を生成するための前記手段は、前記少なくとも1つの励起回路を通って流れる時間変動する電流を有するように構成された少なくとも1つの励起回路を含むか、または、
前記時間変動する第2の磁場を生成するための前記複数の手段は、各磁気振動子が前記励起周波数にほぼ等しい前記機械的共振周波数を有する、複数の磁気振動子を含む、
請求項1に記載の電力送信機。
【請求項３】
前記時間変動する第1の磁場を生成するための前記手段は、前記少なくとも1つの励起回路を通って流れる時間変動する電流に応答して前記時間変動する第1の磁場を生成するように構成された少なくとも1つの励起回路であり、
前記時間変動する第2の磁場を生成するための前記複数の手段は、複数の磁気振動子であり、前記複数の磁気振動子の各磁気振動子が前記励起周波数にほぼ等しい機械的共振周波数を有し、前記複数の磁気振動子は、前記第1の磁場に応答して前記時間変動する第2の磁場を生成するように構成された、
請求項1に記載の電力送信機。
【請求項４】
前記少なくとも1つの励起回路は、前記複数の磁気振動子の少なくとも一部分を囲む少なくとも1つのコイルを含み、
前記少なくとも1つの励起回路のインピーダンスは、前記機械的共振周波数にほぼ等しい周波数において0に等しい虚数成分を有し、
前記電力送信機は、前記複数の磁気振動子に機械的に結合された少なくとも1つの基板をさらに含み、
前記複数の磁気振動子は、マイクロ電気機械システム(MEMS)構造体であり、
前記複数の磁気振動子の各磁気振動子は、前記第1の磁場によって可動磁気要素に印加されるトルクに応答して軸の周りを回転するように構成された前記可動磁気要素を含み、または、
前記複数の磁気振動子の各磁気振動子は、前記第1の磁場によって可動磁気要素に印加されるトルクに応答して軸の周りを回転するように構成された前記可動磁気要素を含み、前記可動磁気要素は、前記可動磁気要素が回転すると前記可動磁気要素に復元力を印加するように構成された少なくとも1つのばねを含む、
請求項3に記載の電力送信機。
【請求項５】
前記複数の磁気振動子は、3次元アレイで配置される、請求項1に記載の電力送信機。
【請求項６】
前記3次元アレイは、
前記複数の磁気振動子のうちの磁気振動子の第1の組を含む少なくとも1つの第1の平面であって、磁気振動子の前記第1の組の各磁気振動子は、第1の方向を向く磁気モーメントを有し、磁気振動子の前記第1の組は、時間変動する成分および時間変動しない成分を含む第1の総磁気モーメントを有する、少なくとも1つの第1の平面と、
前記複数の磁気振動子のうちの磁気振動子の第2の組を含む少なくとも1つの第2の平面であって、磁気振動子の前記第2の組の各磁気振動子は、第2の方向を向く磁気モーメントを有し、磁気振動子の前記第2の組は、時間変動する成分および時間変動しない成分を含む第2の総磁気モーメントを有し、前記第1の総磁気モーメントの前記時間変動しない成分および前記第2の総磁気モーメントの前記時間変動しない成分は、ほぼ等しい大きさを有し、ほぼ反対方向を向く、少なくとも1つの第2の平面と
を含む、請求項5に記載の電力送信機。
【請求項７】
前記3次元アレイは、
第1の極性を有するように配置された前記複数の磁気振動子のうちの磁気振動子の第1の組を含む第1の平面と、
前記第1の平面に隣接する第2の平面であって、磁気振動子の前記第1の組および磁気振動子の第2の組によって生成される総磁気モーメントの準静的部分を少なくとも部分的に低減させるために前記第1の極性と異なる第2の極性を有するように配置された前記複数の磁気振動子のうちの磁気振動子の前記第2の組を含む前記第2の平面と
を含む、請求項5に記載の電力送信機。
【請求項８】
電力をワイヤレスで送信する方法であって、
励起周波数を有する、時間変動する第1の磁場を生成するステップと、
各磁気振動子が前記励起周波数にほぼ等しい機械的共振周波数を有する、複数の磁気振動子に前記第1の磁場を印加することによって時間変動する第2の磁場を生成するステップと
を含む、方法。
【請求項９】
前記時間変動する第1の磁場を生成するステップは、前記複数の磁気振動子の少なくとも一部分を囲む少なくとも1つのコイルを含む少なくとも1つの励起回路を通る電流を流すステップを含み、
前記複数の磁気振動子は、マイクロ電気機械システム(MEMS)構造体であり、
前記時間変動する第2の磁場を生成するステップは、前記第1の磁場によって可動磁気要素に印加されるトルクに応答して軸の周りに前記複数の磁気振動子の各磁気振動子の前記可動磁気要素を回転させるステップを含む、
請求項8に記載の方法。
【請求項１０】
前記時間変動する第1の磁場を生成するように構成された少なくとも1つの励起回路は、前記機械的共振周波数にほぼ等しい周波数において0に等しい虚数成分を有するインピーダンスを有するか、または、
前記時間変動する第2の磁場を生成するステップは、前記可動磁気要素が回転すると前記可動磁気要素に復元力を印加するステップをさらに含む、
請求項9に記載の方法。
【請求項１１】
前記複数の磁気振動子は、3次元アレイで配置される、請求項8に記載の方法。
【請求項１２】
前記3次元アレイは、
前記複数の磁気振動子のうちの磁気振動子の第1の組を含む少なくとも1つの第1の平面であって、磁気振動子の前記第1の組の各磁気振動子は、第1の方向を向く磁気モーメントを有し、磁気振動子の前記第1の組は、時間変動する成分および時間変動しない成分を含む第1の総磁気モーメントを有する、少なくとも1つの第1の平面と、
前記複数の磁気振動子のうちの磁気振動子の第2の組を含む少なくとも1つの第2の平面であって、磁気振動子の前記第2の組の各磁気振動子は、第2の方向を向く磁気モーメントを有し、磁気振動子の前記第2の組は、時間変動する成分および時間変動しない成分を含む第2の総磁気モーメントを有し、前記第1の総磁気モーメントの前記時間変動しない成分および前記第2の総磁気モーメントの前記時間変動しない成分は、ほぼ等しい大きさを有し、ほぼ反対方向を向く、少なくとも1つの第2の平面と
を含む、請求項11に記載の方法。
【請求項１３】
少なくとも1つの電力送信機から電力をワイヤレスで受信するように構成された電力受信機であって、
時間変動する第1の磁場に応答して前記少なくとも1つの回路を通って流れる時間変動する電流を生成するように構成された少なくとも1つの回路であって、前記時間変動する第1の磁場はある周波数を有する、少なくとも1つの回路と、
各磁気振動子が前記周波数にほぼ等しい機械的共振周波数を有し、時間変動する第2の磁場に応答して前記時間変動する第1の磁場を生成するように構成された、複数の磁気振動子であって、
前記複数の磁気振動子のうちの磁気振動子の第1の組を含む少なくとも1つの第1の平面であって、磁気振動子の前記第1の組の各磁気振動子は、第1の方向を向く磁気モーメントを有し、磁気振動子の前記第1の組は、時間変動する成分および時間変動しない成分を含む第1の総磁気モーメントを有する、少なくとも1つの第1の平面と、
前記複数の磁気振動子のうちの磁気振動子の第2の組を含む少なくとも1つの第2の平面であって、磁気振動子の前記第2の組の各磁気振動子は、第2の方向を向く磁気モーメントを有し、磁気振動子の前記第2の組は、時間変動する成分および時間変動しない成分を含む第2の総磁気モーメントを有し、前記第1の総磁気モーメントの前記時間変動しない成分および前記第2の総磁気モーメントの前記時間変動しない成分は、ほぼ等しい大きさを有し、ほぼ反対方向を向く、少なくとも1つの第2の平面と
を含む、3次元アレイで配置される、複数の磁気振動子と
を含む、電力受信機。
【請求項１４】
前記少なくとも1つの励起回路は、前記複数の磁気振動子の少なくとも一部分を囲む少なくとも1つのコイルを含み、
前記少なくとも1つの励起回路のインピーダンスは、前記機械的共振周波数にほぼ等しい周波数において0に等しい虚数成分を有し、
前記電力受信機は、前記複数の磁気振動子に機械的に結合された少なくとも1つの基板をさらに含み、
前記複数の磁気振動子は、マイクロ電気機械システム(MEMS)構造体であり、
前記複数の磁気振動子の各磁気振動子は、前記第1の磁場によって可動磁気要素に印加されるトルクに応答して軸の周りを回転するように構成された前記可動磁気要素を含む、
請求項13に記載の電力受信機。
【請求項１５】
前記複数の磁気振動子の各磁気振動子は、前記第1の磁場によって可動磁気要素に印加されるトルクに応答して軸の周りを回転するように構成された前記可動磁気要素を含み、
前記可動磁気要素は、前記可動磁気要素が回転すると前記可動磁気要素に復元力を印加するように構成された少なくとも1つのばねを含む、
請求項13に記載の電力受信機。